(57)【特許請求の範囲】
【請求項１】
第１液体を吐出する吐出口と、
前記吐出口の周囲を囲むよう配置され、前記吐出口を中心として回転しながら、前記吐出口から吐出される前記第１液体の周囲を包囲するよう第２液体を噴射可能な複数の噴射口とを、
有することを特徴とする液体噴射装置。
【請求項２】
各噴射口は前記吐出口の周囲を回転しながら第２液体を噴射可能な構成を有することを、特徴とする請求項１記載の液体噴射装置。
【請求項３】
各噴射口は第２液体をカーテン状またはミスト状に噴射可能な構成を有することを、特徴とする請求項１または２記載の液体噴射装置。
【請求項４】
前記第１液体は酸性水から成り、前記第２液体はアルカリ性水から成ることを、特徴とする請求項１，２または３記載の液体噴射装置。
【請求項５】
基部と回転部とを有し、
前記基部は前記吐出口と第１供給路と第２供給路とを有し、前記第１供給路は前記吐出口に第１液体を供給可能に連通し、前記第２供給路は各噴射口に第２液体を供給可能に連通し、
前記回転部は各噴射口を有し、各噴射口が前記第２供給路に連通した状態で前記吐出口の周囲を回転するよう前記基部に回転可能に設けられていることを、
特徴とする請求項１，２，３または４記載の液体噴射装置。
【請求項６】
電解質水溶液を電気分解して酸性水とアルカリ性水とを生成し、生成した酸性水を前記第１供給路に供給し、生成したアルカリ性水を前記第２供給路に供給可能な電解水生成手段を有することを、
特徴とする請求項５記載の液体噴射装置。
【発明の詳細な説明】
【技術分野】
【０００１】
本発明は、液体噴射装置に関する。
【背景技術】
【０００２】
従来、殺菌や消毒などを行うための洗浄水として、酸性水やオゾン水等が使用されている。酸性水の生成に塩化物塩水溶液の電気分解を用いる場合、酸性水に含まれる塩素により塩素臭が発生し、有毒な塩素ガスとともに臭気が周囲に拡散するという問題があった。また、オゾン水を使用する場合にも、有毒なオゾンガスが発生し、同様に、臭気が周囲に拡散するという問題があった。そこで、このような洗浄水から発生する有毒ガスの拡散や臭気を防止するために、洗浄水の周囲を囲むよう消臭ミストを噴霧したり、水を噴射したりする液体噴射装置が開発されている（例えば、特許文献１または２参照）。
【先行技術文献】
【特許文献】
【０００３】
【特許文献１】特許第４３４８４０５号公報
【特許文献２】特開２００３−３２０２７８号公報
【発明の概要】
【発明が解決しようとする課題】
【０００４】
特許文献１に記載の液体噴射装置では、酸性水を包囲するようアルカリ性水の消臭用ミストを噴霧することにより消臭できるが、ミストの噴霧量と酸性水の吐出量によっては塩素臭が周囲に漏れる可能性が考えられる。また、特許文献２に記載の液体噴射装置では、洗浄水の周囲を囲むよう複数の補助噴射口が設けられているので、隣り合う補助噴射口から噴射される水と水との間に隙間ができ、その隙間から洗浄水に含まれるオゾンガスが周囲に飛散するという課題があった。【０００５】
本発明は、このような課題に着目してなされたもので、噴射する液体に含まれる有毒ガスや臭気の周囲への拡散を防止する効果が高い液体噴射装置を提供することを目的としている。
【課題を解決するための手段】
【０００６】
上記目的を達成するために、本発明に係る液体噴射装置は、第１液体を吐出する吐出口と、前記吐出口の周囲を囲むよう配置され、前記吐出口を中心として回転しながら、前記吐出口から吐出される前記第１液体の周囲を包囲するよう第２液体を噴射可能な複数の噴射口とを、有することを特徴とする。【０００７】
本発明に係る液体噴射装置は、吐出口から第１液体を吐出するとき、吐出口の周囲を囲むよう配置された複数の噴射口が吐出口を中心として回転しながら第２液体を噴射し、第１液体の周囲を第２液体で包囲することができる。複数の噴射口が回転しながら第２液体を噴射するため、回転しない場合に比べて第１液体の周囲をより均等かつ密に包囲することができる。このため、第１液体が臭気を有する有毒ガスの場合、その有毒ガスや臭気が周囲に拡散するのを第２液体で効果的に防止することができる。第１液体と第２液体としては、例えば、酸性水とアルカリ性水、オゾン水と水道水、消毒水と水道水、熱水と冷水などが挙げられる。【０００８】
本発明に係る液体噴射装置は、吐出口が各噴射口と共に回転するよう構成されていてもよく、吐出口は回転せず、各噴射口のみが回転するよう構成されていてもよい。しかし、各噴射口は、前記吐出口の周囲を回転しながら第２液体を噴射可能な構成を有することが好ましい。各噴射口は、噴射する第２液体の水圧で回転する構成を有していても、モーターその他の動力により回転する構成を有していてもよい。各噴射口は、第２液体をカーテン状またはミスト状に噴射可能な構成を有することが好ましい。特に、各噴射口が第２液体をカーテン状に噴射する場合、第１液体が臭気を有する有毒ガスの場合、その有毒ガスや臭気が周囲に拡散するのをより効果的に防止することができる。【０００９】
各噴射口は、吐出口と同一方向を向いていることが好ましいが、向きを変更可能となっていてもよい。各噴射口は、吐出口を中心としてその周囲を同心円上で囲むよう配置されていることが好ましい。また、各噴射口は、吐出口を中心として２つまたは３つ以上の同心円上に配置されていてもよい。複数の噴射口は、２つ以上いくつであってもよい。噴射口が２つの場合、吐出口を挟むよう配置されることが、吐出口の周囲を囲むよう配置されることを意味する。【００１０】
本発明に係る液体噴射装置において、前記第１液体は酸性水から成り、前記第２液体はアルカリ性水から成ることが好ましく、特に第１液体が強酸性水から成り、第２液体が強アルカリ性水から成ることが好ましい。第１液体は洗浄水から成り、第２液体は消臭剤から成ってもよい。本発明に係る液体噴射装置は、第１液体を加熱する加熱器を有していてもよい。この場合、第１液体が水のとき、加熱することにより洗浄効果を高めることができる。また、第２液体を冷却する冷却器を有していてもよい。この場合、第２液体が水のとき、冷却することにより消臭効果を高めることができる。【００１１】
本発明に係る液体噴射装置は、基部と回転部とを有し、前記基部は前記吐出口と第１供給路と第２供給路とを有し、前記第１供給路は前記吐出口に第１液体を供給可能に連通し、前記第２供給路は各噴射口に第２液体を供給可能に連通し、前記回転部は各噴射口を有し、各噴射口が前記第２供給路に連通した状態で前記吐出口の周囲を回転するよう前記基部に回転可能に設けられていることが好ましい。【００１２】
本発明に係る液体噴射装置で、吐出口は、第１液体をストレート状に吐出してもよく、シャワー状に吐出してもよく、ストレート状とシャワー状とを切り替えて吐出可能になっていてもよい。各噴射口は、吐出口の周囲を回転しながら第２液体を噴射するとき、第２液体が広くカーテン状に拡がるよう、第２液体を扇状に噴射する形状であることが好ましい。【００１３】
本発明に係る液体噴射装置は、電解質水溶液を電気分解して酸性水とアルカリ性水とを生成し、生成した酸性水を前記第１供給路に供給し、生成したアルカリ性水を前記第２供給路に供給可能な電解水生成手段を有することが好ましい。
この場合、酸性水の周囲をアルカリ性水で包囲することにより、酸性水の臭気の拡散を防止することができる。例えば、塩化物塩水溶液を電気分解して生成された酸性水を使用するとき、酸性水から塩素臭が発生するが、その塩素臭をアルカリ性水で防止することかできる。また、毒性の塩素ガスを中和し、無害化することができる。
本発明に係る液体噴射装置は、洗浄装置のほか、殺菌装置、排水装置、塗装装置などに用いることができる。
【発明の効果】
【００１４】
本発明によれば、噴射する液体に含まれる有毒ガスや臭気の周囲への拡散を防止する効果が高い液体噴射装置を提供することができる。
【図面の簡単な説明】
【００１５】
【図１】本発明の実施の形態の液体噴射装置を示す（ａ）平面図、（ｂ）正面図、（ｃ）右側面図である。
【図２】図１に示す液体噴射装置の吐出ノズルの（ａ）平面図、（ｂ）底面図、（ｃ）一部を切り欠いた側面図である。
【発明を実施するための形態】
【００１６】
以下、図面に基づき、本発明の実施の形態について説明する。
図１および図２は、本発明の実施の形態の液体噴射装置を示している。
図１に示すように、液体噴射装置１０は、支持台１１と電解水生成手段１２とポンプ１３と吐出ノズル１４とモーター１５とコントロールボックス１６とを有している。
【００１７】
支持台１１は、設置板２１と、設置板２１を所定の高さに保持するための枠状の脚部２２と、脚部２２の枠の間を覆うカバー２３と、設置板２１の下方を覆い、後方に向かって傾斜するよう脚部２２に取り付けられた排水板２４と、排水板２４の傾斜の下端に連続するよう設けられた排水孔２５とを有している。
【００１８】
電解水生成手段１２は、支持台１１の脇に配置され、塩化ナトリウム水溶液などの電解質溶液を電気分解して酸性水（第１液体）とアルカリ性水（第２液体）とを生成するよう構成されている。ポンプ１３ａ，１３ｂは、２台から成り、設置板２１の下面後方に固定され、それぞれ電解水生成手段１２で生成された酸性水を、酸性水用送水管（図示せず）を通して吐出ノズル１４の酸性水用の継手３１に供給し、電解水生成手段１２で生成されたアルカリ性水を、アルカリ性水用送水管（図示せず）を通して吐出ノズル１４のアルカリ性水用の継手３２に供給するよう構成されている。
【００１９】
図２に示すように、吐出ノズル１４は、細長く、断面の外径が円形の基部２６と、基部２６の長さよりも薄い円環状の回転部２７とを有している。基部２６は、第１供給路２８と第２供給路２９とを有している。第１供給路２８は、基部２６の中心に、その長さ方向に沿って先端から後端まで貫通するよう設けられている。第２供給路２９は、第１供給路２８の周囲に円環状に、基部２６の長さ方向に沿って伸びるよう設けられている。第２供給路２９は、先端側の端部が基部２６の側面を一周して連続するよう基部２６の側面に開口している。また、第２供給路２９は、基部２６の後端に２箇所の開口を有している。基部２６は、先端に吐出口３０を有している。吐出口３０は、第１供給路２８の先端開口に連通している。第１供給路２８の後端には、酸性水用の継手３１が取り付けられている。また、基部２６は、第２供給路２９の後端の２つの開口部分に、それぞれアルカリ性水用の継手３２が取り付けられている。
【００２０】
回転部２７は、内周面から先端側の端面まで、クランク状に伸びて貫通した複数の連通路３３を有している。各連通路３３は、回転部２７の中心軸に対して等角度間隔で設けられている。回転部２７は、複数の噴射口３４を有している。各噴射口３４は、各連通路３３の端面側の開口に連通している。噴射口３４は、吐出口３０と同一方向を向いている。回転部２７は、内側に基部２６の先端部が挿入され、基部２６の側面に沿って回転可能に取り付けられている。回転部２７は、滑らかに回転するよう、スライドベアリング３５を介して基部２６に取り付けられている。回転部２７は、後端の外周に沿って平歯車３６が固定されており、この平歯車３６を回転させることにより、回転するよう構成されている。
【００２１】
また、回転部２７は、各連通路３３の内周面側の開口が、基部２６の側面の第２供給路２９の開口の位置になるよう取り付けられている。回転部２７は、各連通路３３の内周面側の開口が、回転時でも基部２６の第２供給路２９に連通するようになっている。こうして、各噴射口３４は、吐出口３０を中心としてその周囲を同心円上で囲むよう配置され、吐出口３０を中心として吐出口３０の周囲を回転可能になっている。なお、図２に示す具体的な一例では、噴射口３４および連通路３３は６つから成るが、２つ以上いくつから成ってもよい。
【００２２】
吐出ノズル１４は、酸性水用の継手３１に酸性水用送水管が接続され、アルカリ性水用の継手３２にアルカリ性水用送水管が接続されている。吐出ノズル１４は、ポンプ１３ａから送られてきた酸性水を、酸性水用の継手３１から第１供給路２８を通して吐出口３０から吐出するようになっている。また、吐出ノズル１４は、ポンプ１３ｂから送られてきたアルカリ性水を、アルカリ性水用の継手３２から第２供給路２９、各連通路３３を通して各噴射口３４から噴射するようになっている。なお、吐出ノズル１４は、基部２６と回転部２７との境界など、部材の隙間からアルカリ性水が漏れないよう、境界部にＯリング３７を挟んで各部材が取り付けられている。
【００２３】
図１に示すように、吐出ノズル１４は、設置板２１の中央部の前方に、酸性水を下方に向かって吐出するよう固定されている。吐出口３０は、酸性水をストレート状またはシャワー状に吐出可能になっている。各噴射口３４は、回転部２７の回転方向に沿ってアルカリ性水が拡がるよう、アルカリ性水を扇状に噴射可能になっている。吐出ノズル１４は、回転部２７を回転させて、各噴射口３４が吐出口３０の周囲を回転しながらアルカリ性水を噴射するよう構成されている。これにより、吐出ノズル１４は、吐出口３０から吐出される酸性水の周囲をアルカリ性水でカーテン状に覆うよう構成されている。
【００２４】
モーター１５は、設置板２１の中央部の後方に、吐出ノズル１４と並んで固定されている。モーター１５は、平歯車３８を有し、この平歯車３８を回転するよう構成されている。モーター１５の平歯車３８は、回転部２７の平歯車３６と噛み合っている。これにより、モーター１５は、平歯車３８を介して回転部２７を回転可能になっている。コントロールボックス１６は、設置板２１の中央部の側方に、吐出ノズル１４の横に並んで固定されている。コントロールボックス１６は、モーター１５のＯＮ／ＯＦＦ、回転速度など、モーター１５の動きを制御可能になっている。モーター１５は、電解水生成手段１２のスイッチのＯＮ／ＯＦＦに合わせて、自動的にＯＮ／ＯＦＦに切り替わる。
【００２５】
次に、作用について説明する。
液体噴射装置１０は、以下のように洗浄装置として使用される。まず、スイッチをＯＮにし、電解水生成手段１２で生成された酸性水とアルカリ性水とを、ポンプ１３ａ，１３ｂでそれぞれ吐出ノズル１４に供給し、吐出口３０から酸性水を吐出させるとともに、吐出口３０の周囲を囲むよう配置された各噴射口３４から、アルカリ性水を扇状に噴射させる。吐出口３０から吐出する酸性水で殺菌・洗浄することができる。このとき、コントロールボックス１６によりモーター１５が自動的に駆動し、回転部２７を回転させる。これにより、吐出口３０から酸性水を吐出しつつ、各噴射口３４が吐出口３０を中心としてその周囲を回転しながらアルカリ性水を噴射し、酸性水の周囲をアルカリ性水でカーテン状に包囲することができる。
【００２６】
液体噴射装置１０は、複数の噴射口３４が回転しながらアルカリ性水を噴射するため、回転しない場合に比べて、より均等かつ密にほぼ隙間なくカーテン状のアルカリ性水で酸性水の周囲を包囲することができる。また、アルカリ性水を扇状に噴射するため、アルカリ性水がより広くカーテン状に拡がり、より効果的に隙間をなくすことができる。このため、酸性水に含まれる塩素ガスやその臭気が周囲に拡散するのをアルカリ性水で効果的に防止することができる。また、毒性の塩素ガスを中和し、無害化することができる。
【００２７】
液体噴射装置１０は、吐出した酸性水および噴射したアルカリ性水を、吐出ノズル１４の下方の排水板２４で受けて、排水孔２５から排水することができる。電解水生成手段１２のスイッチをＯＦＦにすれば、吐出口３０からの酸性水の吐出と、各噴射口３４からのアルカリ性水の噴射が停止し、回転部２７は自動的に停止する。
【符号の説明】
【００２８】
１０  液体噴射装置
１１  支持台
２１  設置板
２２  脚部
２３  カバー
２４  排水板
２５  排水孔
１２  電解水生成手段
１３ａ，１３ｂ  ポンプ
１４  吐出ノズル
２６  基部
２８  第１供給路
２９  第２供給路
３０  吐出口
３１  酸性水用の継手
３２  アルカリ性水用の継手
２７  回転部
３３  連通路
３４  噴射口
３５  スライドベアリング
３６  平歯車
３７  Ｏリング
１５  モーター
３８  平歯車
１６  コントロールボックス
【図１】
0005717078.tif 000002
【図２】
0005717078.tif 000003